(57)【要約】【課題】クライアント側のトラフィック量と連携させてＷＡＮ側の信号伝送容量を調整することで無駄な消費電力を抑える省電力光送信機、光受信機および光送受信装置を提供する。【解決手段】光送信機は、接続されているクライアント側のトラフィック量に応じて、ＷＡＮ側のＯＦＤＭ信号伝送帯域を調整し、およびＯＦＤＭ信号伝送帯域を光受信機側に通知する。光受信機はＯＦＤＭ信号伝送帯域の通知を受信し、通知によりＷＡＮ側のＯＦＤＭ信号伝送帯域を調整する。本光送信機と本光受信機により、トラフィック量の適応制御、および省電力化を実現する。【選択図】図２
2010245809.tif 000002
【特許請求の範囲】
【請求項１】
クライアント側トラフィック量を検出する手段と、
前記トラフィック量に応じてＯＦＤＭ信号伝送帯域を調整する調整手段と、
前記ＯＦＤＭ信号伝送帯域を対向する光受信機に通知する手段と、
を備えていることを特徴とする光送信機。
【請求項２】
クライアント信号を分配するトランスポンダと、該トランスポンダと接続された複数の電気ＯＦＤＭ信号送信器とを備え、
前記調整手段は、
前記トラフィック量が減少した場合に、使用しない前記電気ＯＦＤＭ信号送信器のＯＦＤＭ信号生成部、ＤＡＣ、および発信器の電源を落とし、
前記トラフィック量が増加した場合に、使用する前記電気ＯＦＤＭ信号送信器のＯＦＤＭ信号生成部、ＤＡＣ、および発信器の電源を入れる手段であることを特徴とする請求項１に記載の光送信機。
【請求項３】
クライアント信号を分配するトランスポンダと、該トランスポンダと接続された複数のＯＦＤＭ信号送信器とを備え、
前記調整手段は、
前記トラフィック量が減少した場合に、使用しない前記ＯＦＤＭ信号送信器の光源以外の電源を落とし、
前記トラフィック量が増加した場合に、使用する前記ＯＦＤＭ信号送信器の光源以外の電源を入れる手段であることを特徴とする請求項１に記載の光送信機。
【請求項４】
対向する光送信機からＯＦＤＭ信号伝送帯域の通知を受信する手段と、
前記通知に応じてＯＦＤＭ信号伝送帯域を調整する調整手段と、
を備えていることを特徴とする光受信機。
【請求項５】
複数のＯＦＤＭ信号受信機を備え、
前記調整手段は、
前記ＯＦＤＭ信号伝送帯域が減少した場合に、使用しない前記ＯＦＤＭ信号受信機の局部発信光、光電変換、ＡＤＣ、およびＯＦＤＭ信号受信処理部の電源を落とし、
前記ＯＦＤＭ信号伝送帯域が増加した場合に、使用する前記ＯＦＤＭ信号受信機の局部発信光、光電変換、ＡＤＣ、およびＯＦＤＭ信号受信処理部の電源を入れる手段であることを特徴とする請求項４に記載の光受信機。
【請求項６】
請求項１から３のいずれか１項に記載の光送信機と、請求項４または５に記載の光受信機とを備えていることを特徴とする光送受信装置。
【発明の詳細な説明】
【技術分野】
【０００１】
本発明は、光通信分野において、光送受信装置のトラフィック量の適応制御、および省電力化に寄与する光送信機、光受信機および光送受信装置に関する。
【背景技術】
【０００２】
現状の光ネットワークでは、トラフィック量に関わらずインタフェースは常時フルパワーで使用されている。例えば、１０Ｇｂｐｓのトランスポンダにおいて、実際のデータは１Ｇｂｐｓ程度しか流れていないにもかかわらず、トランスポンダはフルパワーで動作している。また、一日の内、昼のビジネスアワーではトラフィックが多く、深夜には少ないにもかかわらず、一日中フルパワーで使用されている。そのため、トラフィック量が少ないインタフェースでは、電力が無駄に消費されるという問題がある。この問題を解決する試みとして、非特許文献１では、トラフィック量に応じて、ポートの電力を最適化することで消費電力を削減する手法が検討されている。ただし、現在、非特許文献１は規格化検討中の段階であるため、正式な文書はリリースされていない。また、非特許文献２では、リンクアグリゲーション技術（参考文献：非特許文献３）の拡張によりトラフィック量に応じて必要なリンク数だけをアップさせ、その他のリンクをスリープ状態にすることで消費電力を削減する手法が検討されている。
【０００３】
また、無線通信の分野では、伝送路品質に応じて伝送レートや変調方式を適応制御する技術が一般的に用いられており、光通信の分野においても、同様なコンセプトを持つ光伝送システムが特許文献１で提案されている。
【先行技術文献】
【特許文献】
【０００４】
【特許文献１】特開２００５−２１８０４７号公報
【非特許文献】
【０００５】
【非特許文献１】IEEE802.1az, "Energy Efficient Ethernet(登録商標)"、ドラフト版IEEEDraft P802.3az/D1.2（2009年2月現在）
【非特許文献２】河野ほか、“動的な物理リンク数制御によるスイッチ省電力化手法の提案”信学技報  IN2007-216(2008-03)
【非特許文献３】IEEE802.3,“LAN/MAN CSMA/CD Access Method,” IEEE Standard 802.3
【発明の概要】
【発明が解決しようとする課題】
【０００６】
しかしながら、非特許文献１では、ＬＡＮ（Local Area Network）側や装置バックプレーンに関する検討しか進められておらず、ＷＡＮ（Wide Area Network）側への適用は検討されていない。また、非特許文献２は、リンクアグリゲーション技術の拡張であり、適用領域としては、ネットワークのエッジ（例えば学内ネットワークなど）を想定しており、コア・メトロなどのＷＤＭ（Wavelength Division Multiplexing）ネットワークへ適用は考慮されていない。これらのように、従来技術では、ＬＡＮ側に限定された消費電力削減手法しか検討されていない。また、特許文献１は、伝送路品質に応じて信号を適応制御するものであり、クライアント側のトラフィック量とは連携していないため、トラフィック量に応じた適応制御を行うことで省電力化を図るものではない。
【０００７】
そのため、コア・メトロネットワークのようなＷＡＮ側における消費電力削減手法が検討されていない点、および、消費電力削減手法を検討するにあたりＬＡＮ側とＷＡＮ側の連携が考慮されていない点がこれまでの課題であった。
【０００８】
従って本発明は、ＬＡＮ側のトラフィック量と連携させてＷＡＮ側の信号伝送容量を調整することで無駄な消費電力を抑える省電力光送信機、光受信機および光送受信装置を提供することを目的とする。
【課題を解決するための手段】
【０００９】
上記目的を実現するため本発明による光送信機は、クライアント側トラフィック量を検出する手段と、前記トラフィック量に応じてＯＦＤＭ信号伝送帯域を調整する調整手段と、前記ＯＦＤＭ信号伝送帯域を対向する光受信機に通知する手段とを備えている。
【００１０】
また、光送信機は、クライアント信号を分配するトランスポンダと、該トランスポンダと接続された複数の電気ＯＦＤＭ信号送信器とを備え、前記調整手段は、前記トラフィック量が減少した場合に、使用しない前記電気ＯＦＤＭ信号送信器のＯＦＤＭ信号生成部、ＤＡＣ、および発信器の電源を落とし、前記トラフィック量が増加した場合に、使用する前記電気ＯＦＤＭ信号送信器のＯＦＤＭ信号生成部、ＤＡＣ、および発信器の電源を入れる手段であることも好ましい。
【００１１】
また、光送信機は、クライアント信号を分配するトランスポンダと、該トランスポンダと接続された複数のＯＦＤＭ信号送信器とを備え、前記調整手段は、前記トラフィック量が減少した場合に、使用しない前記ＯＦＤＭ信号送信器の光源以外の電源を落とし、前記トラフィック量が増加した場合に、使用する前記ＯＦＤＭ信号送信器の光源以外の電源を入れる手段であることも好ましい。
【００１２】
上記目的を実現するため本発明による光受信機は、対向する光送信機からＯＦＤＭ信号伝送帯域の通知を受信する手段と、前記通知に応じてＯＦＤＭ信号伝送帯域を調整する調整手段とを備えている。
【００１３】
また、光受信機は、複数のＯＦＤＭ信号受信機を備え、前記調整手段は、前記ＯＦＤＭ信号伝送帯域が減少した場合に、使用しない前記ＯＦＤＭ信号受信機の局部発信光、光電変換、ＡＤＣ、およびＯＦＤＭ信号受信処理部の電源を落とし、前記ＯＦＤＭ信号伝送帯域が増加した場合に、使用する前記ＯＦＤＭ信号受信機の局部発信光、光電変換、ＡＤＣ、およびＯＦＤＭ信号受信処理部の電源を入れる手段であることも好ましい。
【００１４】
上記目的を実現するため本発明による光送受信装置は、上記に記載の光送信機と、上記に記載の光受信機とを備えている。
【発明の効果】
【００１５】
本発明により、ＬＡＮ側のトラフィク状態と連携して、ＷＡＮ側リンクの省電力化を実現できる光送受信装置が提供される。
【図面の簡単な説明】
【００１６】
【図１】本発明による光送受信装置から構成される光伝送システムの概要を示す。
【図２】第１の実施形態である信号伝送帯域を電気領域でマルチバンド化する方式を用いた光送信機の構成を示す。
【図３】発振器の周波数間隔を図に表したものを示す。
【図４】第１の実施形態での光受信機の構成を示す。
【図５】第１の実施形態での光送受信装置の動作シーケンスを示す。
【図６】第１の実施形態での光送信機の動作をフローチャート化したものを示す。
【図７】第１の実施形態での光受信機の動作をフローチャート化したものを示す。
【図８】第２の実施形態である信号伝送帯域を光領域でマルチバンド化する方式を用いた光送信機の構成を示す。
【図９】第２の実施形態での光受信機の構成を示す。
【図１０】第２の実施形態での光送受信装置の動作シーケンスを示す。
【図１１】第２の実施形態での光送信機の動作をフローチャート化したものを示す。
【図１２】第２の実施形態での光受信機の動作をフローチャート化したものを示す。
【図１３】第２の実施形態で、リンク接続性を確認する場合のフローチャートをに示す。
【発明を実施するための形態】
【００１７】
本発明を実施するための最良の実施形態について、以下では図面を用いて詳細に説明する。図１は本発明による光送受信装置から構成される光伝送システムの概要を示す。図１ａは、対向する光送受信機同士の通信には、伝送する信号のオーバーヘッドが用いられる場合を示す。図１ｂは、対向する光送受信機同士の通信に監視光が用いられる場合を示す。図１ｃは、制御・管理網により、光送受信装置が制御される場合を示す。対向する光送受信機同士の通信も、制御・管理網を介して行われる。
【００１８】
本発明の光送受信装置は、ＯＦＤＭ信号（Orthogonal
Frequency Division Multiplexing信号）を使用するが、信号伝送帯域をマルチバンド化する手法の違いにより、光送受信装置は２つの実施形態に分類することができる。第１の実施形態は、信号伝送帯域を電気領域でマルチバンド化する方式を用いた光送受信装置であり、第２の実施形態は、信号伝送帯域を光領域でマルチバンド化する方式を用いた光送受信装置である。最初に第１の実施形態の光送受信装置について説明し、次に第２の実施形態の光送受信装置について説明する。
【００１９】
「信号伝送帯域を電気領域でマルチバンド化する方式」
図２は、第１の実施形態である信号伝送帯域を電気領域でマルチバンド化する方式を用いた光送信機の構成を示す。本光送信機１は、電気ＯＦＤＭ信号送信器１１、各電気ＯＦＤＭ信号を合成するミキサー１２、光ＯＦＤＭ信号生成器１３、光送信機制御部１４、およびクライアント側トランスポンダ１５から構成されている。電気ＯＦＤＭ信号送信器１１は、ＯＦＤＭ信号生成部、ＤＡＣ（Digital Analog Converter）、ＬＰＦ（Low Pass Filter）、ＩＱミキサー、および発振器からなる。光ＯＦＤＭ信号生成器１３は、光源、データ変調器、変調器ドライバ、およびバイアス電源からなる。電気ＯＦＤＭ信号送信器１１は、データ分配機能を有するクライアント側トランスポンダ１５からの各レーンと接続される構成をとる。また、光送信機制御部１４は、各電気ＯＦＤＭ信号送信器１１とクライアント側トランスポンダ１５と接続されており、各電気ＯＦＤＭ信号送信器１１の制御、およびクライアント側トランスポンダ１５のインタフェース速度に関する情報を収集する。
【００２０】
クライアント側トランスポンダ１５は、データを複数レーン（図２ではレーン（１）〜レーン（Ｎ））に分配し、それぞれのレーンを電気ＯＦＤＭ信号送信器１１と接続する構成としている。なお、クライアント側トランスポンダ１５と電気ＯＦＤＭ信号送信器１１間のレーンの接続媒体が光ファイバの場合は、光電変換機が必要となる。図２において、鎖線で囲まれた部分が、ひとつの電気ＯＦＤＭ送信器１１を表し、マルチバンド光ＯＦＤＭ送信使用時には、クライアント信号のトラフィック量に応じて、光送信機制御部１４が、使用する電気ＯＦＤＭ信号送信器１１の数量を増減させる。また、各電気ＯＦＤＭ信号送信器１１で生成されたＯＦＤＭ信号が、他の電気ＯＦＤＭ信号送信器１１で生成されたＯＦＭＤ信号の信号伝送帯域と重なってしまうことを避けるために、光送信機制御部１４が、ＯＦＤＭ信号のビットレートによる信号占有帯域を考慮して、電気ＯＦＤＭ信号送信器１１の発信器周波数を調整する。なお、スリープモード時に電気ＯＦＤＭ送信器１１の数量を減少させる場合は、不要な電気ＯＦＤＭ信号送信器１１のデータ処理部（ＯＦＤＭ信号生成部、ＤＡＣ、および発信器）の電源を落とす。電気ＯＦＤＭ送信器１１の数量を増加させる場合は、必要な電気ＯＦＤＭ信号送信器１１のデータ処理部の電源を入れる。また、光送信機制御部１４は、電気ＯＦＤＭ信号送信器１１の数量を対向する光受信機に通知する。
【００２１】
データ分配機能を有するクライアント側トランスポンダ１５の機能について説明する。ここで、クライアントインタフェースはイーサネット（登録商標）とする。クライアントインタフェースは、トラフィック量に応じて１００ＧｂＥ、４０ＧｂＥ、１０ＧｂＥに変更可能とする。ＩＥＥＥ８０２．３ｂａでは、１００ＧｂＥの伝送レイヤにおける波長数は１０本（１０Ｇ信号ｘ１０本）と規定される見込みである。そこで、トラフィック量に応じて、その波長数を増減することとする。なお、ＩＥＥＥ８０２．３ｂａでは、１００ＧｂＥの伝送レイヤにおける波長数が４本（２５Ｇ信号ｘ４本）も規定される見込みであるが、ここでは、ひとつのハードウェアにより各インタフェース速度（１００ＧｂＥ／４０ＧｂＥ／１０ＧｂＥ）に対応するために、１波長あたり１０Ｇベースの速度とする。
【００２２】
ここで、図２の各レーンの速度を１０Ｇとする。この場合、表１に示すように、クライアントインタフェースの速度が１００Ｇの場合は、１０本のレーンにデータが分配される。また、クライアントインタフェースの速度が４０Ｇになった場合は、４本のレーンにデータが分配される。クライアントインタフェースの速度が１０Ｇになった場合は、１本のレーンへデータが渡される。
【００２３】
【表１】
2010245809.tif 000003
【００２４】
次に、クライアント信号のトラフィック量に応じて、使用する電気ＯＦＤＭ送信器１１の数量を決定する手順について説明する。クライアントがリンクアグリゲーション技術により集約されている場合、および集約されていない場合のそれぞれについて説明する。
【００２５】
１．クライアントがリンクアグリゲーション技術により集約されていない場合
クライアント側の速度を収容するようにＷＡＮ側の速度を調整する。光送信機１は、ＥＥＥ（Energy Efficient Ethernet(登録商標)）によるクライアント側の速度設定情報を、図２の光送信機制御部１４を介して得られることとする。同様に、後述する光受信機２も、上記速度設定情報を、図４の光受信機制御部２１を介して得られることとする。
ここで、ＯＦＤＭ信号のシングルバンドあたりのビットレートをＡ［Ｇｂ／ｓ］とする。また、クライアント側のビットレートをＢ［Ｇｂ／ｓ］とする。この場合、クライアントを収容するために必要なＷＡＮ側の伝送帯域数（電気ＯＦＤＭ送信器数）は以下のようになる。
必要な伝送帯域数（＝電気ＯＦＤＭ送信器数）＝Ｂ／Ａ
（ただし、割り切れない場合は、数値を整数に切り上げる。）
【００２６】
２．クライアントがリンクアグリゲーション技術により集約されている場合
ここでは、クライアント信号が、リンクアグリゲーション技術により１０ＧｂＥ〜８０ＧｂＥ（１０ＧｂＥｘＮ（Ｎは１，２，３，４，５，６，７，８））に速度を変更可能な場合を考える。光送信機１は、リンクアグリゲーション技術によるクライアント側の速度設定情報を、図２の光送信機制御部１４を介して得られることとする。同様に、後述する光受信機２も、上記速度設定情報を、図４の光受信機制御部２１を介して得られることとする。
ここで、ＯＦＤＭ信号のシングルバンドあたりのビットレートをＡ［Ｇｂ／ｓ］とする。また、クライアント側のビットレートをＢ［Ｇｂ／ｓ］とする。
２−１．クライアント信号のビットレートに対してＷＡＮ側の帯域（ビットレート）にマージンを持たせずに、クライアント信号を収容する場合
必要バンド数＝Ｂ／Ａ
（ただし、割り切れない場合は、数値を整数に切り上げる。）
２−２．クライアント信号のビットレートに対してＷＡＮ側の帯域（ビットレート）にマージンを持たせてクライアント信号を収容する場合
この場合、クライアント信号がバースト的に増加した場合の対処として、帯域マージン係数α（αは１．０以下）を設ける。（αはＷＡＮ側の帯域に対して、クライアントが占める容量を何％に設定するかを決める係数である。）
必要バンド数＝（Ｂ／Ａ）×（１／α）
（ただし、端数が発生した場合は、数値を整数に切り上げる。また、必要バンド数の上限は、使用可能な電気ＯＦＤＭ送信器数とする。）
【００２７】
次に、光送信機制御部１４による発信器周波数の決定方法について説明する。
ＩＱミキサーに入力する発信器の周波数は、シングルバンドＯＦＤＭ信号の占有帯域幅の半分以上の周波数間隔を持たせる必要がある。また、隣接するシングルバンドＯＦＤＭ信号との間にガードバンドを設ける場合は、その分を周波数間隔に加える必要がある。
【００２８】
マルチバンドＯＦＤＭ信号において、隣接するＯＦＤＭ信号（１）と（２）の条件を以下とする。
・ＯＦＤＭ信号（１）の条件：ＯＦＤＭ信号の占有帯域をＮ１［Ｈｚ］
・ＯＦＤＭ信号（２）の条件：ＯＦＤＭ信号の占有帯域をＮ２［Ｈｚ］
・隣接するＯＦＤＭ信号（１）と（２）間のガードバンドをＧ［Ｈｚ］
この場合、隣接するＯＦＤＭ信号（１）と（２）間の発信器周波数間隔Ｐ［Ｈｚ］は以下の式で与えられる。
Ｐ＝Ｇ＋（Ｎ１＋Ｎ２）／２
図３は、上記の発振器の周波数間隔を図に表したものを示す。
【００２９】
図４は、第１の実施形態での光受信機の構成を示す。光受信機２は、光受信機制御部２１、ＯＦＤＭ信号受信器２２から構成されている。光受信機制御部２１は、各ＯＦＤＭ信号受信器２２と接続されており、各ＯＦＤＭ信号受信器２２の制御を行う。伝送容量減少時のスリープモードの際は、該当するＯＦＤＭ信号受信器２２のデータ処理部（局部発信光、光電変換、ＡＤＣ（Analog Digital Converter）、ＯＦＤＭ信号受信処理部）の電源を落とすことにより無駄な電力消費を抑える。伝送容量増加時は、該当するＯＦＤＭ信号受信器２２のデータ処理部の電源を入れる。
【００３０】
図５は第１の実施形態での光送受信装置の動作シーケンスを示し、図６は第１の実施形態での光送信機の動作をフローチャート化したものを示す。図７は第１の実施形態での光受信機の動作をフローチャート化したものを示す。図５、図６および図７により、本発明の光送受信装置の動作について説明する。ここで、クライアントＩＦ自体の速度調整は、ＥＥＥやリンクアグリゲーション技術の拡張ですでに検討されている方式により行われる。なお、図５において、送信機と受信機間の通信は、図１ａ〜図１ｃに示したように、信号のオーバーヘッド、監視光、もしくは、制御・管理網を用いて行われる。
【００３１】
光送信機側の動作は以下のようになる。
Ｓ１１．クライアントＩＦが有する最高速度を確認する（設定上可能な最高速度を確認する）。
Ｓ１２．クライアントＩＦの最高速度を収容するために必要なＷＡＮ側（ＯＦＤＭ信号側）の信号伝送帯域数（伝送容量）を確保できるか確認する。確保できる場合は、Ｓ１３に進み、確保出来ない場合は、Ｓ１９に進む。
Ｓ１３．現在のクライアントＩＦの速度を確認する。
Ｓ１４．クライアントＩＦを収容するための信号伝送帯域数の割り当てを確認する。
Ｓ１５．対向装置に信号伝送帯域数の割り当て設定を通知する。
Ｓ１６．対向装置からの設定確認通知を受信する（受信側の信号伝送帯域数割り当て準備が完了したことが通知される）。
Ｓ１７．クライアントＩＦを収容する信号伝送帯域数を割り当てる（送信側の設定を行う）。信号伝送帯域数が増加した場合は、必要な電気ＯＦＤＭ信号送信器のデータ処理部をオンにし、信号伝送帯域数が減少した場合は、不要な電気ＯＦＤＭ信号送信器のデータ処理部をオフにする。
Ｓ１８．定期的にクライアントＩＦの速度を確認する、もしくは、クライアント側からレーン数の変更通知を受信する。クライアントＩＦの速度に変化がない場合および変更通知を受信しない場合は、ＷＡＮ側の設定をそのままに保つ。クライアントＩＦの速度が変化した場合、および変更通知を受信した場合は、Ｓ１４に戻る。
Ｓ１９．最高速度のクライアントＩＦが収容不可能なため、警報通知を行う。
【００３２】
光受信機側の動作は以下のようになる。
Ｓ２１．光送信機側からの、「信号伝送帯域数割り当て設定通知」を確認する。通知がない場合は、確認を続ける。通知がある場合は、Ｓ２２に進む。
Ｓ２２．受信信号帯域数の設定する。帯域数が増加する場合は、Ｓ２３に進み、帯域数が減少する場合は、Ｓ２４に進む。
Ｓ２３．必要な電気ＯＦＤＭ信号受信機のデータ処理部をオンにする。帯域数を設定後Ｓ２１に戻る。
Ｓ２４．不要な電気ＯＦＤＭ信号受信機のデータ処理部をオフにする。帯域数を設定後Ｓ２１に戻る。
【００３３】
以下に、障害発生時の対処について説明する。上記のような電気領域でマルチバンド化する方式の場合、リンクの接続性は、信号光により常時確認されているため、信号光断が発生した場合は障害が検出される。そのため、特別な障害検出機能は必要ない。
【００３４】
「信号伝送帯域を光領域でマルチバンド化する方式」
図８は、第２の実施形態である信号伝送帯域を光領域でマルチバンド化する方式を用いた光送信機の構成を示す。本光送信機３は、データ分配機能を有するクライアント側トランスポンダ３１、ＯＦＤＭ信号送信器３２、合波器３３および光送信機制御部３４から構成されている。ＯＦＤＭ信号送信器３２は、ＯＦＤＭ信号生成部、ＤＡＣ、ＬＰＦ、ＩＱミキサー、発振器、光源、データ変調器、変調器ドライバ、およびバイアス電源からなる。クライアント側トランスポンダ３１において、データを複数レーンに分配し、それぞれのレーンをそれぞれのＯＦＤＭ信号送信器３２と接続する構成になっている。また、光送信機制御部３４は、各ＯＦＤＭ信号送信器３２とクライアント側トランスポンダ３１と接続されており、各ＯＦＤＭ信号送信器３２の制御、および、クライアント側トランスポンダ３１のインタフェース速度に関する情報を収集する。図中の鎖線で囲まれた部分が、ひとつのＯＦＤＭ信号送信器３２を表し、マルチバンド光ＯＦＤＭ送信使用時には、クライアント信号のトラフィック量に応じて、光送信機制御部３４が使用するＯＦＤＭ信号送信器３２の数量を増減させる。各ＯＦＤＭ信号送信器３２で生成されたＯＦＤＭ信号が、他のＯＦＤＭ信号送信器３２で生成されたＯＦＤＭ信号の信号伝送帯域と重ならないように、ビットレートによる信号占有帯域を考慮して、光源の波長（周波数）を調整する。なお、スリープモード時にＯＦＤＭ信号送信器３２の数量を減少させる場合は、不要な分のＯＦＤＭ信号送信器３２のデータ処理部（図８では光源以外の部分）の電源を落とす。ＯＦＤＭ信号送信器３２の数量を増加させる場合は、必要なＯＦＤＭ信号送信器３２のデータ処理部の電源を入れる。また、光送信機制御部３４は、ＯＦＤＭ信号送信器３２の数量を対向する光受信機に通知する。
【００３５】
図９は、第２の実施形態での光受信機の構成を示す。光受信機４は、光受信機制御部４１、ＯＦＤＭ信号受信器４２から構成されている。光受信機制御部４１は、各ＯＦＤＭ信号受信器４２と接続されており、各ＯＦＤＭ信号受信器４２の制御を行う。伝送容量減少時のスリープモードの際は、該当するＯＦＤＭ信号受信器４２のデータ処理部（局部発信光、光電変換、ＡＤＣ（Analog Digital Converter）、ＯＦＤＭ信号受信処理部）の電源を落とすことにより無駄な電力消費を抑える。伝送容量増加時は、該当するＯＦＤＭ信号受信器４２のデータ処理部の電源を入れる。
【００３６】
次に、光送信機制御部３４による光源波長（周波数）の決定方法について説明する。
光源の波長（周波数）は、シングルバンドＯＦＤＭ信号の占有帯域幅の半分以上の波長（周波数）間隔を持たせる必要がある。また、隣接信号との間にガードバンドを設ける場合は、その分を波長（周波数）間隔に加える必要がある。光源波長（周波数）の決定方法自体は、図３を用いて説明した発信器周波数の決定方法と同じである。発信器周波数を光周波数に置き換えたものと等価である。光周波数は、光波長と
光速＝光周波数ｘ光波長
との関係にある。
【００３７】
図１０は第２の実施形態での光送受信装置の動作シーケンスを示し、図１１は第２の実施形態での光送信機の動作をフローチャート化したものを示す。図１２は第２の実施形態での光受信機の動作をフローチャート化したものを示す。図１０、図１１および図１２により、本発明の光送受信装置の動作について説明する。図１０は、図５とほぼ同じであるが、図５との違いは、ＯＦＤＭ信号送信器３２、およびＯＦＤＭ信号受信器４２が光信号部分を含んだものとなっている点である。なお、図１０において、送信機と受信機間の通信は、図１ａ〜図１ｃに示したように、信号のオーバーヘッド、監視光、もしくは、制御・管理網を用いて行われる。なお、ＯＦＤＭ信号送信器３２をオフする場合に、光源はオフせず、連続光を用いることで、リンクの接続性を確認可能となる。
【００３８】
光送信機側の動作は以下のようになる。
Ｓ３１．クライアントＩＦが有する最高速度を確認する（設定上可能な最高速度を確認する）。
Ｓ３２．クライアントＩＦの最高速度を収容するために必要なＷＡＮ側（ＯＦＤＭ信号側）の信号伝送帯域数（伝送容量）を確保できるか確認する。確保できる場合は、Ｓ３３に進み、確保出来ない場合は、Ｓ３９に進む。
Ｓ３３．現在のクライアントＩＦの速度を確認する。
Ｓ３４．クライアントＩＦを収容するための信号伝送帯域数の割り当てを確認する。
Ｓ３５．対向装置に信号伝送帯域数の割り当て設定を通知する。
Ｓ３６．対向装置からの設定確認通知を受信する（受信側の信号伝送帯域数割り当て準備が完了したことが通知される）。
Ｓ３７．クライアントＩＦを収容する信号伝送帯域数を設定する（送信側の設定を行う）。信号伝送帯域数が増加した場合は、必要なＯＦＤＭ信号送信器のデータ処理部をオンにし、信号伝送帯域数が減少した場合は、不要なＯＦＤＭ信号送信器のデータ処理部をオフにする。
Ｓ３８．定期的にクライアントＩＦの速度を確認する、もしくは、クライアント側からレーン数の変更通知を受信する。クライアントＩＦの速度に変化がない場合および変更通知を受信しない場合は、ＷＡＮ側の設定をそのままに保つ。クライアントＩＦの速度が変化した場合、および変更通知を受信した場合は、Ｓ３４に戻る。
Ｓ３９．最高速度のクライアントＩＦの収容不可能なため、警報通知を行う。
【００３９】
光受信機側の動作は以下のようになる。
Ｓ４１．光送信機側からの、「信号伝送帯域数割り当て設定通知」を確認する。通知がない場合は、確認を続ける。通知がある場合は、Ｓ４２に進む。
Ｓ４２．受信信号帯域数の設定する。帯域数が増加する場合は、Ｓ４３に進み、帯域数が減少する場合は、Ｓ４４に進む。
Ｓ４３．必要なＯＦＤＭ信号受信機のデータ処理部をオンにする。帯域数を設定後Ｓ４１に戻る。
Ｓ４４．不要なＯＦＤＭ信号受信機のデータ処理部をオフにする。帯域数を設定後Ｓ４１に戻る。
【００４０】
以下に、障害発生時の対処について説明する。上記のような信号伝送帯域を光領域でマルチバンド化する方式の場合は、スリープさせた信号伝送帯域は、連続光を用いることでリンクの接続性確認が可能である。図１３は、第２の実施形態で、リンク接続性を確認する場合のフローチャートをに示す。
Ｓ５１．リンク接続性を確認する。リンク接続性が確認できる場合（障害無し）は、再度リンク接続性を確認する（確認は、一定の周期で実行する。）。リンク接続性が確認できない場合（障害発生）は、Ｓ５２に進む。
Ｓ５２．リンク接続性が確認できない信号帯域を特定する。
Ｓ５３．代替可能な信号帯域数が確保できるか確認する。ＩＦ数を確保できる場合にはＳ５４に進み、確保できない場合は、Ｓ５５に進む。
Ｓ５４．クライアントＩＦを収容する分の信号帯域数を確保する。リンク接続性確認のため、Ｓ５１に戻る。
Ｓ５５．クライアントＩＦ収容不可能の通知（警報）をあげる。
【００４１】
また、以上述べた実施形態は全て本発明を例示的に示すものであって限定的に示すものではなく、本発明は他の種々の変形態様および変更態様で実施することができる。従って本発明の範囲は特許請求の範囲およびその均等範囲によってのみ規定されるものである。
【符号の説明】
【００４２】
１  光送信機
１１  電気ＯＦＤＭ信号送信器
１２  ミキサー
１３  光ＯＦＤＭ信号生成器
１４  光送信機制御部
１５  クライアント側トランスポンダ
２  光受信機
２１  光受信機制御部
２２  ＯＦＤＭ信号受信器
３  光送信機
３１  クライアント側トランスポンダ
３２  ＯＦＤＭ信号送信器
３３  合波器
３４  光送信機制御部
４  光受信機
４１  光受信機制御部
４２  ＯＦＤＭ信号受信器
【図１】
2010245809.tif 000004
【図２】
2010245809.tif 000005
【図３】
2010245809.tif 000006
【図４】
2010245809.tif 000007
【図５】
2010245809.tif 000008
【図６】
2010245809.tif 000009
【図７】
2010245809.tif 000010
【図８】
2010245809.tif 000011
【図９】
2010245809.tif 000012
【図１０】
2010245809.tif 000013
【図１１】
2010245809.tif 000014
【図１２】
2010245809.tif 000015
【図１３】
2010245809.tif 000016